(57)【要約】【課題】階間調整機構を制御して乗りかごを移動させ、その移動状況を確認する等の点検作業を容易に能率よく行なうことができるダブルデッキ式エレベータを提供する。【解決手段】かご枠１内の上部および下部にそれぞれ乗りかご２，３が設けられ、これら乗りかご２，３の間隔が階間調整機構１５により調整可能となっているダブルデッキ式エレベータにおいて、前記かご枠１の上部に作業台２８を設けるとともに、前記階間調整機構１５を制御するための階間制御箱３２を前記作業台２８と隣り合うように作業台２８の外側に設ける。【選択図】    図１
2004217412.tif 000002
【特許請求の範囲】
【請求項１】
かご枠内の上部および下部にそれぞれ乗りかごが設けられ、これら乗りかごの間隔が階間調整機構により調整可能となっているダブルデッキ式エレベータにおいて、
前記かご枠の上部に設けられた作業台と、
この作業台と隣り合って作業台の外側に設けられた前記階間調整機構を制御するための階間制御部と、
を具備することを特徴とするダブルデッキ式エレベータ。
【請求項２】
前記階間制御部は、前記作業台の上へ向けて移動することが可能となっていることを特徴とする請求項１に記載のダブルデッキ式エレベータ。
【請求項３】
前記階間制御部と作業台は、前記かご枠の前後方向に並ぶように設けられていることを特徴とする請求項１または２に記載のダブルデッキ式エレベータ。
【請求項４】
前記作業台の一側縁部には、前記かご枠を吊り下げるメインロープが通る凹部が形成されていることを特徴とする請求項１、２または３に記載のダブルデッキ式エレベータ。
【請求項５】
前記階間制御部は、前記作業台に形成された凹部の反対側の縁部側に設けられていることを特徴とする請求項４に記載のダブルデッキ式エレベータ。
【発明の詳細な説明】
【０００１】
【発明の属する技術分野】
この発明は、かご枠内に一対の乗りかごを備え、その乗りかごがビルの昇降路内で一体に昇降するダブルデッキ式エレベータに関する。
【０００２】
【従来の技術】
近年、超高層ビル等においては、ビル内のスペース効率や乗客搬送効率を高めるためにダブルデッキ式エレベータが設置されるようになってきている。ダブルデッキ式のエレベータは、一つのかご枠内に二つの乗りかごを上下に並べて組み付けてかごユニットとし、このかごユニットを昇降路内で昇降させる方式となっている。
【０００３】
かご枠内に配置された上部の乗りかごと下部の乗りかごとの間隔は、ビルの階高（互いに隣り合う上下階床間の間隔）に対応する大きさに定められ、かご枠が停止するときには、その上部および下部の乗りかごがその上下階の階床にそれぞれ着床するように構成されている。
【０００４】
しかしながら、ビルの各階の階高がすべて一定であるとは限らず、このため近年においては、上部の乗りかごと下部の乗りかごとの間隔を調整することが可能な階間調整機構が組み込まれ、着床する階床間の階高に応じて自動的に上部の乗りかごと下部の乗りかごとの間隔を調整することができるようにしたダブルデッキ式エレベータが提案されている。
【０００５】
このような階間調整機構を備えるダブルデッキ式エレベータの構造を図５に示してあり、このダブルデッキ式エレベータはかご枠１を備え、このかご枠１の内側の上部および下部にそれぞれ乗りかご２，３が設けられ、これら乗りかご２，３およびかご枠１とでかごユニット４が構成されている。
【０００６】
かごユニット４は、メインロープ７を介して釣合い重り（図示せず）と連結され、そのメインロープ７が巻上機のシーブ（図示せず）に巻き掛けられ、前記シーブの正逆回転によりかごユニット４と釣合い重りが昇降路内で互いに逆方向に昇降するようになっている。
【０００７】
かご枠１は、左右一対の縦枠１０と、これら縦枠１０の上端部間、中間部間、下端部間にそれぞれ水平に架設された上梁１１、中梁１２、下梁１３とを備え、前記上部の乗りかご２が上梁１１と中梁１２との間のスペース内に配置され、前記下部の乗りかご３が中梁１２と下梁３との間のスペース内に配置されている。
【０００８】
上部の乗りかご２と下部の乗りかご３は、その相互間の距離を調整することが可能な階間調整機構１５を介してかご枠１に支持されている。階間調整機構１５は、上梁１１の上に取り付けられた左右一対のモータ１６と、これらモータ１６の回転軸に取り付けられたボールねじ１７と、上部の乗りかご２に設けられ、前記各ボールねじ１７の上部区間に螺合されたボールねじナット１８と、下部の乗りかご３に設けられ、前記各ボールねじ１７の下部区間に螺合されたボールねじナット１９とで構成されている。
【０００９】
前記ボールねじ１７の上部区間および下部区間にはそれぞれねじ部１７ａ，１７ｂが形成され、その上部区間のねじ部１７ａと下部区間のねじ部１７ｂとのねじの方向が互いに逆方向となっている。そして上部区間のねじ部１７ａに上部の乗りかご２に設けられたボールねじナット１８が螺合され、下部区間のねじ部１７ｂに下部の乗りかご３に設けられたボールねじナット１９が螺合されている。
【００１０】
したがって、モータ１６に駆動されてボールねじ１７が一方向に回転すると、上下に配置された乗りかご２，３が例えば互いに離間する方向に移動し、ボールねじ１７が逆方向に回転すると、上下に配置された乗りかご２，３が互いに接近する方向に移動し、その相互の間隔が調整される。
【００１１】
各乗りかご２，３の上部にはそれぞれ複数の手すり部材を備える作業台２１，２２が設けられている。そして、エレベータの保守点検時に、作業員が乗りかご２，３の上の作業台２１，２２に乗り込み、その作業台２１，２２を足場として各種の作業を行なうようになっている。
【００１２】
【発明が解決しようとする課題】
エレベータの保守点検時の作業項目の一つとして、階間調整機構１５を制御し、上部の乗りかご２および下部の乗りかご３を移動させてその移動状況等を確認する作業がある。
【００１３】
従来のダブルデッキ式エレベータにおいては、乗りかご２，３の上に作業台２１，２２が設けられているに過ぎず、したがって階間調整機構１５を制御して乗りかご２，３を移動させ、その移動状況を確認する等の点検作業の際、その作業員は乗りかご２，３の上の作業台２１，２２に乗り込まなければならない。しかし、その乗りかご２，３は上下に移動するため、その点検作業がしづらく、作業性が低下するという問題がある。
【００１４】
この発明はこのような点に着目してなされたもので、その目的とするところは、階間調整機構を制御して乗りかごを移動させ、その移動状況を確認する等の点検作業を容易に能率よく行なうことができるダブルデッキ式エレベータを提供することにある。
【００１５】
【課題を解決するための手段】
請求項１の発明は、かご枠内の上部および下部にそれぞれ乗りかごが設けられ、これら乗りかごの間隔が階間調整機構により調整可能となっているダブルデッキ式エレベータにおいて、前記かご枠の上部に設けられた作業台と、この作業台と隣り合って作業台の外側に設けられた前記階間調整機構を制御するための階間制御部とを具備することを特徴としている。
【００１６】
請求項２の発明は、前記階間制御部が、前記作業台の上へ向けて移動することが可能となっていることを特徴としている。
【００１７】
請求項３の発明は、前記階間制御部と作業台が、前記かご枠の前後方向に並ぶように設けられていることを特徴としている。
【００１８】
請求項４の発明は、前記作業台の一側縁部に、前記かご枠を吊り下げるメインロープが通る凹部が形成されていることを特徴としている。
【００１９】
請求項５の発明は、前記階間制御部が、前記作業台に形成された凹部の反対側の縁部側に設けられていることを特徴としている。
【００２０】
【発明の実施の形態】
以下、この発明の実施の形態について図１ないし図４を参照して説明する。なお、従来の構成と対応する部分には同一の符号を付して重複する説明を省略する。
【００２１】
図１にはこの発明の一実施形態によるダブルデッキ式エレベータを示してあり、このダブルデッキ式エレベータにおいては、かご枠１における上梁１１の上に支持梁２５が複数本水平に取り付けられている。これら支持梁２５は、図２および図３に示すように互いに平行をなして上梁１１と直角の方向に延びている。
【００２２】
支持梁２５の上には、台板２６が取り付けられ、この台板２６の周縁に手すり柵２７が設けられ、これら台板２６と手すり柵２７とで作業台２８が構成されている。
【００２３】
手すり柵２７は、複数の手すり部材２７ａを縦横に柵状に組み合わせてなる。そして手すり柵２７が視覚上、暗い昇降路内であっても目立つように、例えば各段ごとの手すり部材２７ａが異なる色となるように色分けされている。
【００２４】
台板２６の一側縁には、図３に示すように凹部３０が形成され、この凹部３０の内側の空間を通してメインロープ７が上梁１１に連結されている。上梁１１の上に取り付けられた複数本の支持梁２５のうちの内側の２本の支持梁２５は、台板２６における前記凹部３０の反対側の側縁からその外方側に突出している。そして、その突出した支持梁２５の端部間に、階間調整機構１５を制御するための階間制御部としての階間制御箱３２が作業台２８と隣り合うように設けられている。
【００２５】
階間制御箱３２は前記支持梁２５の上に、図２に示すようにスペーサ３１を介して所定のレベルの位置に配置するように支持されている。そしてこの階間制御箱３２は、ピン３７を介してスペーサ３１の上に回動可能に、すなわち作業台２８の配置側に向けて倒伏可能に設けられ、通常時にはボルト３８を介してスペーサ３１の上にほぼ垂直に起立する状態に締結されている。
【００２６】
階間制御箱３２と対向する作業台２８の一側部は、階間制御箱３２を倒伏可能とするために手すり柵のない開放部３９となっている。
【００２７】
階間調整機構１５の保守点検時には、かご枠１の上に設置された作業台２８に作業員が乗り込む。そしてこの作業台２８から階間制御箱３２に手を延ばして階間制御箱３２を操作し、階間調整機構１５を制御して上部の乗りかご２および下部の乗りかご３を移動させ、その移動状況等を確認する。
【００２８】
この際、作業員は、上下に移動する乗りかご２，３の上に乗り込むのではなく、乗りかご２，３から独立したかご枠１の上部の作業台２８内で階間調整機構１５を制御して乗りかご２，３を移動させることができ、したがってその移動状況を確認する等の点検作業を容易に能率よく行なうことができる。
【００２９】
本実施形態では、階間制御箱３２が作業台２８の外に設置されている。階間制御箱３２が作業台２８の内側に設置されている場合には、階間制御箱３２の重量に耐え得る剛性を作業台２８にもたせることが必要となる。例えば作業台２８の台板２６の厚さを充分に大きくする必要が生じ、この結果、作業台２８の重量が増し、かごユニット４の全体が高重量化してしまうことになる。
【００３０】
ところが、本実施形態では、階間制御箱３２が作業台２８の外に設置されており、このため作業台２８の剛性を低くすることが可能で、重量を下げ、かごユニット４の全体を軽量化することができる。
【００３１】
また、階間制御箱３２が作業台２８の外に設置されている場合、作業台２８での作業中における振動が階間制御箱３２に伝わりにくくなり、このため階間制御箱３２内での端子等の緩みを防止することができる。
【００３２】
階間制御箱３２の側面や上面には、階間調整機構１５を動作させる点検用スイッチや安全スイッチが設けられているが、階間制御箱３２が作業台２８内に設置されている場合、そのスイッチ類への誤接触を防ぐために、作業時の作業台２８内での有効な作業スペースが狭まってしまう。
【００３３】
階間制御箱３２が作業台２８の外に設置されている場合には、作業台２８内の領域が広がり、また前記スイッチ類への誤接触の問題も生じなくなり、このため作業時の有効な作業スペースが拡がり、作業台２８内での各種の点検作業を効率よく行なうことができる。
【００３４】
階間制御箱３２は、所定の高さを有するスペーサ３１の上に設置されており、このため作業台２８内の作業員が自然な安定した姿勢でその階間制御箱３２を操作することができる。
【００３５】
据付手順について考えると、階間制御箱３２を作業台２８の外に設置する場合には、上梁１１の上に支持梁２５を取り付け、これら支持梁２５の上に階間制御箱３２を取り付け、この階間制御箱３２と階間調整機構１５との間の電気的な結線作業を行ない、この後、支持梁２５の上に作業台２８を設置するという手順を採用することが可能となる。
【００３６】
これに対し、階間制御箱３２を作業台２８内に設置する場合には、上梁１１の上に支持梁２５を取り付け、これら支持梁２５の上に作業台２８を設置し、この作業台２８内に階間制御箱３２を取り付け、この階間制御箱３２と階間調整機構１５との間の電気的な結線作業を行なうことになるが、その結線作業時に作業台２８の台板２６が作業の邪魔となり、作業能率が低下する。
【００３７】
ところが、本実施形態のように階間制御箱３２を作業台２８の外に設置する場合には、上述のように、作業台２８を設置する前に、階間制御箱３２を設置してその階間制御箱３２と階間調整機構１５との間の結線作業を行なうことができ、その結線作業を能率よく行なうことができる。また、据付後においても、階間制御箱３２の周囲が台板２６で邪魔されることなく広く開放されるから、再結線作業の必要が生じたときにそれを能率よく行なうことができる。
【００３８】
階間制御箱３２は、図４（Ａ）に示す状態からボルト３８を外してスペーサ３１との締結を解除し、図４（Ｂ）に示すようにピン３７を支点に作業台２８の配置側に回動することにより作業台２８の台板２６の上に倒伏させることができる。
【００３９】
そして階間制御箱３２を倒伏させたときには、その階間制御箱３２の背面が上を向いて作業台２８内に配置する。したがって、その背面に対するメンテナンス等の作業を作業台２８内で容易にかつ安全に行なうことができる。このため、階間制御箱３２に設ける電気基板類を階間制御箱３２の背面に配置させてもそのメンテナンス等を容易に安全に行なうことができる。そして電気基板類の一部を階間制御箱３２の背面に配設することにより、電気基板類を階間制御箱３２の前面側に集約して設ける場合に比べ、階間制御箱３２を小型化することが可能となる。
【００４０】
【発明の効果】
以上説明したようにこの発明のダブルデッキ式エレベータによれば、階間調整機構を制御して乗りかごを移動させ、その移動状況を確認する等の点検作業を容易に能率よく行なうことができる。
【図面の簡単な説明】
【図１】この発明の一実施形態に係るダブルデッキ式エレベータのかごユニットを示す正面図。
【図２】そのかごユニットの作業台部分の側面図。
【図３】その作業台部分の平面図。
【図４】その作業台部分における階間制御箱の起立状態と倒伏状態とを示す側面図。
【図５】従来のダブルデッキ式エレベータのかごユニットを示す正面図。
【符号の説明】
１…かご枠
２，３…乗りかご
４…かごユニット
７…メインロープ
１５…階間調整機構
１６…モータ
１７…ボールねじ
１８，１９…ボールねじナット
２５…支持梁
２６…台板
２７…手すり柵
２８…作業台
３２…階間制御箱
３７…ピン
３８…ボルト
【図１】
2004217412.tif 000003
【図２】
2004217412.tif 000004
【図３】
2004217412.tif 000005
【図４】
2004217412.tif 000006
【図５】
2004217412.tif 000007